(57)【特許請求の範囲】
【請求項１】
眼鏡装用者のフィッティングに必要な頭部形状の測定を行う顔面測定器（２）であって、
前記眼鏡装用者の額の前方に水平に配され、中央部のフロントバーブリッジ部（１１）と、該フロントバーブリッジ（１１）に対して左右にスライド可能な左フロントバー（３０）と右フロントバー（２０）と、で構成されるフロントバー（１０）と、
前記フロントバー（１０）の両端に配設される、左サイドバー（４０）と右サイドバー（５０）と、
前記フロントバーブリッジ部（１１）の下方に配設される鼻根頂計測具（６０）と、
前記右フロントバー（２０）と前記右サイドバー（５０）の接合部には、該右サイドバー（５０）を上下させるサイドバー上下移動具（７０）と、からなり、
前記鼻根頂計測具（６０）は、鼻根頂基準片（６５）を鼻根稜頂部（９）に当接させて、  フロントバー裏面（１０ｂ）と鼻根頂基準片裏面（６５ａ）との角度を表示する角度計（６１）と、前記鼻根頂基準片（６５）と前記フロントバー裏面（１０ｂ）からの位置を表す鼻根頂目盛り部（６０ａ）と、からなることを特徴とする顔面測定器（２）。
【請求項２】
前記顔面測定器（２）は、前記左フロントバー（３０）及び前記右フロントバー（２０）を、前記フロントバーブリッジ部（１１）に固定することが出来る左フロントバーストッパー（３１）及び、右フロントバーストッパー（２１）と、
前記フロントバーブリッジ部（１１）には、前記左フロントバー（３０）と右フロントバー（２０）のそれぞれの中心からの距離を表す左右顔幅目盛り部（１０ａ）と、
前記右サイドバー（５０）の水平中心からの上下移動量を表す上下移動目盛り部（７０ａ）と、
前記左サイドバー（４０）と前記右サイドバー（５０）は、耳介付根上部の位置を定めるための左サイドバー目盛り部（４０ａ）と、右サイドバー目盛り部（５０ａ）を有し、前記鼻根頂基準片（６５）を測定した角度と位置で、固定することが出来る鼻根頂基準片固定具（６３）と、を備えることを特徴とする請求項１に記載の顔面測定器（２）。
【請求項３】
請求項１又は２に記載の顔面測定器（２）と、
フィッティング用ヘッドモデル（１）と、
接合器（３００）と、
からなるフィッティングデータ転送装置（４）であって、
前記フィッティング用ヘッドモデル（１）は、鼻根稜頂部近傍の形状を複製した鼻根稜頂部型（８０）と、左右耳介付根上部近傍の形状を複製した左耳介付根上部型（１１３）及び、右耳介付根上部型（１２３）と、顔面寸法再現装置（３）と、からなり、
前記接合器（３００）は、前記顔面測定器（２）を装着することの出来る装着ミゾ（３０４ａ，３０４ｂ）を有する接合器上部（３０１）と、測定器接合部（８６ａ，８６ｂ）に上下移動調整可能にて摺接することの出来る接合棒（３０５ａ，３０５ｂ）とを有する接合器下部（３０２）と、で構成され、
前記接合器（３００）は、更に、前後移動装置（３０３）を有し、該前後移動装置（３０３）は、前記接合器上部（３０１）と前記接合器下部（３０２）を、相互に摺動可能とすることを特徴とするフィッティングデータ転送装置（４）。
【請求項４】
前記顔面寸法再現装置（３）は、前記鼻根稜頂部型（８０）を鼻型接合装置（８５）に装着して前後に移動できる鼻型移動スライダー（８１）と、
前記左耳介付根上部型（１１３）を左耳型取付具（１１２）に装着して、上下に移動できる左耳型上下装置（１１０）と、
前記右耳介付根上部型（１２３）を右耳型取付具（１２２）に装着して、上下に移動できる右耳型上下装置（１２０）と、
前記左耳型上下装置（１１０）及び前記右耳型上下装置（１２０）を、それぞれ水平に移動できる左耳型水平移動スライダー（９０）及び右耳型水平移動スライダー（１００）と、
前記左耳型水平移動スライダー（９０）と前記鼻型移動スライダー（８１）の接合部には、左耳型前後移動スライダー（１５０）と、
また、鼻型スライダーストッパー（８４）と、左耳型水平移動スライダーストッパー（９２）と、右耳型水平移動スライダーストッパー（１０２）と、左耳型前後移動スライダーストッパー（１５２）とを、有することを特徴とする請求項３に記載のフィッティングデータ転送装置（４）。
【請求項５】
前記鼻根稜頂部型（８０）が上下左右、自由に動くボールジョイント様の接合器である前記鼻型接合装置（８５）を有することを特徴とする請求項３及び４に記載のフィッティングデータ転送装置（４）。
【請求項６】
前記左耳介付根上部型（１１３）及び前記右耳介付根上部型（１２３）は、耳介付根上部印象取得具横棒（２０２ａ）の端に印象材を有し、他端に耳介付根上部印象取得具縦棒（２０２ｂ）を有した耳介付根上部印象取得具（２０２）で左右耳介上部近傍の印象を取得し、耳介付根上部型固定具横棒（２０１ａ）の１端に耳介付根上部型固定具縦棒（２０１ｂ）を有した耳介付根上部型固定具（２０１）にて取得した印象の反転複製物を作製することを特徴とした、請求項４又は５のいずれかに記載のフィッティングデータ転送装置（４）。
【請求項７】
以下の手順１から１６を含む請求項６に記載のフィッティングデータ転送装置（４）の使用方法。
（手順１）前記顔面測定器（２）を被測定者の顔面に、前記鼻根頂基準片（６５）を前記鼻根稜頂部（９）に当接するように装着する。
このとき前記フロントバー裏面（１０ｂ）は被測定者の額に当接させる。
（手順２）前記左サイドバー（４０）及び右サイドバー（５０）を、左右頭側面に当接するまで前記左フロントバー（２０）及び前記右フロントバー（３０）を調節する。
（手順３）前記左フロントバーストッパー（２１）及び前記右フロントバーストッパー（３１）を固定する。
（手順４）前記左サイドバー（４０）及び右サイドバー（５０）上の左右の耳介付け根上部の位置を定める。
（手順５）前記鼻根頂基準片（６５）を前記鼻根稜頂部（９）に均等に当接させ、前記鼻根頂基準片固定具（６３）で固定する。
（手順６）前記顔面測定器（２）を顔面前方から見て、水平になるように前記上下移動ハンドル（７１）を操作する。
前記顔面測定器（２）を顔面から外す。
（手順７）鼻根稜頂部型採エリア（１２）の印象を作製し、該印象の反転複製物である鼻根稜複製物（８２）を作り、これに前記鼻型取付具（８７）を前記鼻根稜複製物（８２）の後方から挿入し、前記鼻根稜頂部型（８０）とする。
（手順８）前記耳介付根上部印象取得具（２０２）で、左耳介付根上部及び右耳介付根上部の印象を取得する。
取得した印象の反転複製物を作り、これを前記左耳介付根上部型（１１３）と、前記右耳介付根上部型（１２３）とする。
（手順９）前記鼻根稜頂部型（８０）と、前記左耳介付根上部型（１１３）と、前記右耳介付根上部型（１２３）とを、前記顔面寸法再現装置（３）にそれぞれ前記鼻型接合装置（８５）と前記左耳型取付具（１１２）と、前記左耳型取付具（１２２）に装着する。
（手順１０）前記接合棒（３０５ａ，３０５ｂ）を前記左右接合器接合部品（８６ａ，８６ｂ）に挿入する。
次に、前記装着ミゾ（３０４ａ，３０４ｂ）に前記フロントバーブリッジ部（１１）の中央部分を載せる。
（手順１１）接合器上下移動具（８９）及び前後移動装置（３０３）を使い、鼻根頂基準片（６５）が（手順５）で測定時に鼻根稜頂部（９）の当接した位置と同じ位置となるように鼻根稜頂部型（８０）を動かす。
前期鼻根頂基準片裏面（６５ａ）を前記鼻根稜頂部型（８０）稜部に均等に当接させ固定する。
（手順１２）前記左耳型水平移動スライダー（９０）と前記右耳型水平移動スライダー（１００）を伸縮し、前記左耳介付根上部型（１１３）と前記右耳介付根上部型１２３）が前記左サイドバー（４０）及び前記右サイドバー（５０）に接触させる。
前記左耳型水平移動スライダーストッパー（９２）と、前記右耳型水平移動スライダーストッパー（１０２）で固定する。
（手順１３）前記左耳型上下装置（１１０）を上下させ、前記左耳介付根上部型１１３）の谷部を前記左サイドバー（４０）下部に接触させる。
また、前記右耳型上下装置（１２０）を上下させ、前記右耳介付根上部型（１２３）の谷部を前記右サイドバー（５０）下部に接触させる。
（手順１４）前記鼻型移動スライダー（８１）で、前記右サイドバー（５０）を（手順４）にて定めた前記右耳介付根上部型（１２３）の位置に移動させる。その後前記鼻型スライダーストッパー（８４）を固定する。
（手順１５）前記左耳介付根上部型（１１３）を（手順４）で定めた位置に合わせる。
その後、前記左耳型前後移動スライダーストッパー（１５２）で固定する。
（手順１６）前記接合器（３００）と、前記顔面測定器（２）を上方に引き抜き、前記フィッティング用ヘッドモデル（１）だけとし、これにてメガネのフィッティングを行う。
【発明の詳細な説明】
【技術分野】
【０００１】
本発明は、メガネのフィッティング技術に関する。詳しくは、頭の形状、寸法の計測技術であり、フィッティングするための道具であるフィッティング用ヘッドモデル作製に関する。
【背景技術】
【０００２】
メガネは、ユーザーの視力補正に必要な度数のレンズを入れ、光学的な機能を十分に発揮するためにフィッティングをしなければ、メガネとしてその機能を発揮するものとはならない。
眼鏡店店頭に於いて、ユーザーがメガネフレームを選定後、一度フィッティングをする。これをプレフィッティングという。レンズ度数、レイアウトの決定をして、レンズをメーカーに発注するが、多くの場合レンズにカラー付けなどの特殊加工をするため納期がかかり、一度ユーザーに帰ってもらってから再度出来上がり眼鏡を取りに来ていただくというのが一般的である。その間に、眼鏡店では、レンズを枠入れ加工するが、仕上がり後に、ユーザーが眼鏡を取りに来た段階でもう一度フィッティングを行う必要がある。
その場合ユーザーにその場で待ってもらわなければならない。
【０００３】
ユーザーにその場で待ってもらう必要上、フィッティングを短時間で行わなければならないため、大幅な修正はやりづらく、時間がないため眼鏡技術者が充分に技術を発揮出来ないと言うことがあった。
【０００４】
つまり、メガネフレームの素材によっては、簡単に曲げたり出来ないもの、たとえば鼈甲材のようにかなり長い時間暖めなければならなかったり、フレームがないもの、いわゆるリムレスフレームのようにレンズに穴をあけ、ネジで止めるタイプの眼鏡では、短時間でのフィッティングは不可能である。特に、リムレスフレームの場合は、レンズの加工前にプレフィッティングをしておいても、レンズのカーブが違ったり、ユーザーの希望の玉型に変更したりすると、プレフィッティングが役に立たなくなることがあった。
【０００５】
これを解決するひとつの方法として、あらかじめフィッティングデータを記録しておき、このデータを基にメガネのフィッティングをする方法がある。例えば、特許文献１参照の顔面測定器などが知られ、フィッティングをするためのデータとして、テンプルの長さ、顔幅、耳介上部までの距離といったデータを残しておくといったものや、特許文献４のようにさらに、被検者の鼻根部側面に鼻当てパッド様の計測器を当接させ鼻の輪郭形状の一部を測定できるものが知られている。
【０００６】
あるいは、フィッティングデータを測定しそれをメガネのフィッティングに活用するも
うひとつの方法として、顔写真を利用して顔面測定し、コンピューター内でフィッティングデータを作成し、このデータをもとに折り曲げるのに必要なテンプル部分をパワーユニットなどで折り曲げ、フィッティングするもの（特許文献３参照）が知られている。
【０００７】
または、上記と同様に写真から耳や鼻などの位置を割り出し、さらに被検者の視線をもデータとして取り込み、フィッティングするための耳モダンと鼻パットの形状を正確にトレースするために当該部にモールディングをつけて計測し、被検者の顔面にぴったりフィットする特定のメガネ（カスタム眼鏡）を製造するものも知られている。例えば、特許文献５参照。
【０００８】
また、特許文献２のように、掛け枠眼鏡型フィッティングデータ検出器をユーザーが自由に曲げ、ユーザーの好みのフィッティング状態にし、この曲げ具合を機械で読みとるという方法も知られている。
【特許文献１】特開平１１−１４２７９６
【特許文献２】特開２０００−３１４８５５
【特許文献３】特開２００３−３０７７１４
【特許文献４】実開平０５−９４７０４
【特許文献５】特表２００５−５２０２０５
【発明の開示】
【発明が解決しようとする課題】
【０００９】
人間の頭部は、必ずしも左右対称でなく、鼻を中心として、右と左の顔幅が違い、耳介のつき方が、前後、上下さまざまである。これを上記のような顔面測定器で測定した場合、計測データとしては充分なものであったとしても、メガネフレームをどのように曲げてフィッティングしたら良いかとか、フィッティングした結果の評価が出来ない。
すなわち、テンプルの開角や、鼻根稜部の側面の傾斜角を測定したとしても、テンプルの頭側面への当たり具合や、鼻パットの鼻根部側面への当たり具合を調整するのは困難がつきまとう。
【００１０】
又、顔写真を利用した別の発明では、写真で顔面測定し、コンピュータ内でフィッティングデータを作成し、このデータをもとにテンプルなどを折り曲げる方法では、フィッティングのための調整、曲げ方などが限定されており人体に即した微妙な細工が出来ない。
また、カスタム眼鏡の作製装置などの発明は、その装置からはある特定のデザインのメガネしか製造できないために、店頭にあるメガネフレームのフィッティングには使えないと言う欠点があった。
また、ユーザーが好みのかけ具合に眼鏡を変形させるタイプのものは、眼鏡本来の光学的な保持の方法（フィッティング）について、ユーザーが知識を有しているとは、考えにくい。
さらに、これら上記の装置は大掛かりすぎ、作動させようとするには、それ相当の技術者が必要となったりして、コスト的にも不都合である。
【００１１】
本発明は、上記事情を鑑み、メガネのように掛けて簡単に測定することが出来、頭部の鼻や耳の３次元的相対的位置や、鼻根稜部の角度を正確に把握できる顔面測定器を提供することを目的とする。
【００１２】
また、顔面測定器で測定したデータを、簡便な装置で転送され、メガネユーザーの頭の形状、サイズを、実際にメガネを掛けさせて、掛け具合（フィッティングの善し悪し）を確認できるパーソナルな頭部形状の復元構成物を作ることを目的とした。
【課題を解決するための手段】
【００１３】
本発明は、上記目的を解決するためになされたものである。
１．眼鏡装用者のフィッティングに必要な頭部形状の測定を行う顔面測定器２は、眼鏡装用者の額の前方に水平に配され、中央部のフロントバーブリッジ部（１１）と、該フロントバーブリッジ（１１）に対して左右にスライド可能な左フロントバー（３０）と右フロントバー（２０）と、で構成されるフロントバー（１０）と、
フロントバー１０の両端に配設される、左サイドバー４０と右サイドバー５０と、
前記右フロントバー２０と前記右サイドバー５０の接合部には、右サイドバー５０を上下させるサイドバー上下移動具７０と、からなり、
鼻根頂計測具６０は、鼻根頂基準片６５を鼻根稜頂部９に当接させて、フロントバー裏面１０ｂと鼻根頂基準片裏面６５ａとの角度を表示する角度計６１と、鼻根頂基準片６５とフロントバー裏面１０ｂからの位置を表す鼻根頂目盛り部６０ａと、からなることを特徴とする。
【００１４】
２．また、本発明の顔面測定器２は、１．に記載の顔面測定器２において、左フロントバー３０及び右フロントバー２０を、フロントバーブリッジ部１１に固定することが出来る左フロントバーストッパー３１及び、右フロントバーストッパー２１と、
フロントバーブリッジ部１１には、左フロントバー３０と右フロントバー２０のそれぞれの中心からの距離を表す左右顔幅目盛り部１０ａと、
右サイドバー５０の水平中心からの上下移動量を表す上下移動目盛り部７０ａと、
左サイドバー４０と右サイドバー５０は、耳介付根上部の位置を定めるための左サイドバー目盛り部４０ａと右サイドバー目盛り部５０ａを有し、
鼻根頂基準片６５を測定した角度と位置で、固定することが出来る鼻根頂基準片固定具６３とを備えることを特徴とする。
【００１５】
３．本発明のフィッティングデータ転送装置４は、１．又は２．に記載の顔面測定器２と、
フィッティング用ヘッドモデル１と、接合器３００とからなる。
フィッティング用ヘッドモデル１は、鼻根稜頂部近傍の形状を複製した鼻根稜頂部型８０と、左右耳介付根上部近傍の形状を複製した左耳介付根上部型１１３及び、右耳介付根上部型１２３と、顔面寸法再現装置３とからなる。
接合器３００は、顔面測定器２を装着することの出来る装着ミゾ３０４ａ，３０４ｂを有する接合器上部３０１と、測定器接合部８６ａ，８６ｂに上下移動調整可能にて摺接することの出来る接合棒３０５ａ，３０５ｂとを有する接合器下部３０２とで構成され、
接合器３００は、更に、前後移動装置３０３を有し、前後移動装置３０３は、接合器上部３０１と接合器下部３０２を、相互に摺動可能とすることを特徴とする。
【００１６】
４．また、顔面寸法再現装置３は、３．に記載のフィッティングデータ転送装置４において、鼻根稜頂部型８０を鼻型接合装置８５に装着して前後に移動できる鼻型移動スライダー８１と、左耳介付根上部型１１３を左耳型取付具１１２に装着して、上下に移動できる左耳型上下装置１１０と、
右耳介付根上部型１２３を右耳型取付具１２２に装着して、上下に移動できる右耳型上下装置１２０と、
左耳型上下装置１１０及び右耳型上下装置１２０を、それぞれ水平に移動できる左耳型水平移動スライダー９０及び右耳型水平移動スライダー１００と、
左耳型水平移動スライダー９０と鼻型移動スライダー８１の接合部には、左耳型前後移動スライダー１５０と、
また、鼻型スライダーストッパー８４と、左耳型水平移動スライダーストッパー９２と、右耳型水平移動スライダーストッパー１０２と、左耳型前後移動スライダーストッパー１５２とを有することを特徴とする。
【００１７】
５．さらに、本発明のフィッティングデータ転送装置４は、３．及び４．に記載のフィッティングデータ転送装置４において、鼻根稜頂部型８０が上下左右、自由に動くボールジョイント様の接合器である前記鼻型接合装置８５を有することを特徴とする。
【００１８】
６．また、本発明のフィッティングデータ転送装置４は、４．又は５．に記載のフィッティングデータ転送装置４において、左耳介付根上部型１１３及び右耳介付根上部型１２３は、耳介付根上部印象取得具横棒２０２ａの端に印象材を有し、他端に耳介付根上部印象取得具縦棒２０２ｂを有した耳介付根上部印象取得具２０２で左右の耳介上部近傍の印象を取得し、耳介付根上部印象取得具横棒２０２ａの１端に耳介付根上部型固定具縦棒２０１ｂを有した耳介付根上部型固定具２０１にて取得した印象の反転複製物を作製することを特徴とする。
【００１９】
７．さらに、本発明は、６．に記載のフィッティングデータ転送装置４の使用方法であって、次の手順１から１６を含む。
（手順１）顔面測定器２を被測定者の顔面に、鼻根頂基準片６５を鼻根稜頂部９に当接するように装着する。このときフロントバー裏面１０ｂは被測定者の額に当接させる。
（手順２）左サイドバー４０及び右サイドバー５０を、左右の頭側面に当接するまで左フロントバー２０及び右フロントバー３０を調節する。
（手順３）左フロントバーストッパー２１及び右フロントバーストッパー３１を固定する。
（手順４）左サイドバー４０及び右サイドバー５０上の耳介付け根上部の位置を定める。
（手順５）鼻根頂基準片６５を鼻根稜頂部９に均等に当接させ、鼻根頂基準片固定具６３
で固定する。
（手順６）顔面測定器２を顔面前方から見て、水平になるように上下移動ハンドル７１を
操作する。顔面測定器２を顔面から外す。
（手順７）鼻根稜頂部型採エリア１２の印象を作製し、この印象の反転複製物である鼻根
稜複製物８２を作り、これに鼻型取付具８７を鼻根稜複製物８２の後方から挿入し、鼻根
稜頂部型８０とする。
（手順８）耳介付根上部印象取得具２０２で、左右耳介付根上部の印象を取得する。
取得した印象の反転複製物を作り、これを左耳介付根上部型１１３と、右耳介付根上部型１２３とする。
（手順９）鼻根稜頂部型８０と、左耳介付根上部型１１３と、右耳介付根上部型１２３とを、顔面寸法再現装置３にそれぞれ鼻型接合装置８５と左耳型取付具１１２と、左耳型取付具１２２に装着する。
（手順１０）接合棒３０５ａ，３０５ｂを左右接合器接合部品８６ａ，８６ｂに挿入する。
また、装着ミゾ３０４ａ，３０４ｂにフロントバーブリッジ部１１の中央部分を載せる。
（手順１１）接合器上下移動具８９及び前後移動装置３０３を使い、鼻根頂基準片６５が
（手順５）で測定時に鼻根稜頂部９の当接した位置と同じ位置となるように鼻根稜頂部型８０を動かす。
鼻根頂基準片裏面６５ａを鼻根稜頂部型８０の稜部に均等に当接させ固定する。
（手順１２）左耳型水平移動スライダー９０と右耳型水平移動スライダー１００を伸縮し、左
耳介付根上部型１１３と右耳介付根上部型１２３を、左サイドバー４０及び右サイド
バー５０に接触させる。
左耳型水平移動スライダーストッパー９２と、右耳型水平移動スライダーストッパー１
０２で固定する。
（手順１３）左耳型上下装置１１０を上下させ、左耳介付根上部型１１３の谷部を左サイ
ドバー４０下部に接触させる。
次に、右耳型上下装置１２０を上下させ、右耳介付根上部型１２３の谷部を右サイドバ
ー５０下部に接触させる。
（手順１４）鼻型移動スライダー８１で、右サイドバー５０を（手順４）にて定めた右耳介付根上部型１２３の位置に移動させる。その後鼻型スライダーストッパー８４を固定する。
（手順１５）左耳介付根上部型１１３を（手順４）で定めた位置に合わせる。
その後、左耳型前後移動スライダーストッパー１５２で固定する。
（手順１６）接合器３００と顔面測定器２を上方に引き抜きを、フィッティング用ヘッド
モデル１だけとし、これにてメガネのフィッティングを行う。
【発明の効果】
【００２０】
以上説明したように、第１の発明によれば、メガネのように掛けて簡単に測定することが出来、頭部の鼻や耳の３次元的相対的位置や、鼻根稜部の角度を正確に把握できる顔面測定器２を得ることが出来る。
【００２１】
また、第２の発明によれば、顔面測定器２で測定したデータを、簡便な装置でフィッティング用ヘッドモデル１に転送され、メガネユーザーの頭の形状、サイズを、フィッティング用ヘッドモデル１にメガネを掛けさせて、掛け具合（フィッティングの善し悪し）を確認できるパーソナルな頭部形状の復元構成物を作ることができる。
【発明を実施するための最良の形態】
【００２２】
本発明の実施の形態について図を用いて説明する。
【実施例１】
【００２３】
図１はフィッティング用ヘッドモデル１に眼鏡を掛けさせたところの図である。
最終的にフィッティング用ヘッドモデル１により眼鏡が掛かるところの鼻根稜部、耳介上部のメガネを掛ける部分が、ユーザーの頭部のままに複元されており、この装置でメガネをフィッティングすればユーザーが現場にいなくても、この装置で時間をかけて充分な作業をすることが出来る。
フィッティング用ヘッドモデル１には、ストッパーが付いているが、作業終了後これを解除し、別のユーザーの鼻と耳の複製物に取り換え、新たに別のユーザーの頭部を測定することにより、複数の人の頭のフィッティング用ヘッドモデルとして使用することが出来る。
【００２４】
図２に本発明の顔面測定器２を示す。図６は顔面測定器２の右側面図である。図１３は顔面測定器２を顔面に掛けさせた左側面図である。鼻根頂計測具６０の鼻根頂基準片裏面６５ａを被測定者の鼻根稜頂部９にあてがう。図１５にこのときの顔面測定器２の俯瞰図を示す。
このとき鼻根頂基準片支持パッド６６は鼻根稜部の両側に接触し、顔面測定器をしっか
り支えているようにする。必要と有れば、パット取り付け角を変えても良い。
鼻根頂基準片裏面６５ａと鼻根稜頂部９が均一に接していることが重要であり、パットはこの測定器を支えるものであるからしっかり保持したい。
また、逆に鼻根頂基準片裏面６５ａが滑らないものとすると、鼻根頂基準片支持パッド６６はなくても良い。
【００２５】
次に、フロントバー裏面１０ｂを額に当接させる。このとき上記の鼻根頂計測具６０の鼻根頂角度計６１は、鼻根頂基準片裏面６５ａが鼻根稜頂部９に当たっているため、前方に押し出されることになる。
その間、鼻根頂基準片裏面６５ａは鼻根稜頂部９から外れたり、偏って接しないようにする。
次に図１５のように、左サイドバー４０及び右のサイドバー５０を縮め、頭の側面に当接し、耳介上部に乗せるようにする。
この後、右フロントバーストッパー２１と左フロントバーストッパー３１を固定する。
次に、鼻根頂基準片６５の角度、位置を保持するため、鼻根頂基準片固定具６３を固定する。
【００２６】
顔面測定器２で顔面のどのサイズを測定しているか図１８で説明する。
図１８は、頭部を上から見た概略図である。したがって、装置の厚さは記載していない。頭部は左右非対称、耳の前後の位置も左右ずれているのが普通である。
また、耳介上部のサイドバー上の位置右Ｃと左Ｄは、高さが違い、同一平面上にないことが多い。
この高さの差は、ここでは表記されないが、上下移動目盛り部７０ａに表示される。  
顔面測定器２は、フロントバー１０と左サイドバー４０及び右サイドバー５０はそれぞれ直角を維持されたまま伸縮することが出来る構造になっている。従って、各目盛り部に付いている目盛りを読めば、その位置を座標上で表すことが出来る。        
鼻根稜頂部９を中心に左サイドバー４０を左頭側面に当接させると左顔幅Ｍが測定され、右サイドバー５０を右頭側面に当接させると右顔幅Ｌが測定される。
フロントバー１０と左サイドバー４０の交点をＡ，右サイドバー５０との交点をＢとすると、ＡＣ間はフロントバーからの右耳介までの距離Ｎ、ＢＤ間はフロントバーからの左耳介までの距離Ｏに相当する。
ＮとＯは後ほど、フィッティング用ヘッドモデル１と顔面測定器２を接合しても、直接接触しての転送はできないため、記録する必要がある。
【００２７】
この記録の方法は、サイドバー目盛り部の目盛りを読む方法や、サイドバーに直接サインペンなどで印字することも、また容易にはがせるシールなどを貼って目印とすることも可能である。
この剥離可能な耳位置シール１３を貼る方法は、シール目印を順次、左右耳介付根上部型に移し変え、最終的にフィッティング用ヘッドモデルに調整するときに役立たせることもできる。
【００２８】
左顔幅Ｍと右顔幅Ｌは、後述するように接合器３００を介して転送することが出来るが、
後日、顔面測定器２で測定せずに、フィッティング用ヘッドモデル１にユーザーの顔面を復元する必要があるときのために、記録すると良い。
額と鼻根稜頂部９との距離を示す鼻根頂目盛り部６０ａ、同じく角度を示す鼻根頂角度計目盛り部６７の目盛りも同様に後日のため、記録すると良い。
【００２９】
次に  顔面測定器２が顔面に対し、水平になっているかを確認する。もし右側が下がっているようならサイドバー上下移動具７０の上下移動ハンドル７１を操作して右サイドバー５０を下げ、
また、左側が下がっているようならサイドバー上下移動具７０の上下移動ハンドル７１を操作して右サイドバー５０をあげて、フロントバー１０が水平となるようにする。
この上下した距離も上下移動目盛り部７１ａで読みとり記録しておくこともできる。
この高さが大きく違っている場合は  左右の顔幅ＭとＬにも影響があり、もう一度左フロントバーストッパー２１と右フロントバーストッパー３１を解除し、やり直す。
【００３０】
次に、鼻根稜頂部型８０の作り方について図１６を参照しながら述べる。
図１６（ａ）の左図のように横長にカットした印象材を暖め、軟化したものを  図１４の鼻根稜頂部型採エリア１２にあてがう、と同時に良く押し当て、この部分の形状を写し取るようにする。
【００３１】
ここで印象とは、鼻や耳介の形を複製するにあたって、型を採取すべき場所に印象材と言われる物質を押し当てて形を写し取った雌型のことをいう。ここでの印象材は、形を正確に写し取ることのでき、かつ人体に使用しても衛生上問題がない低温熱軟化性樹脂を使用すると良い。
【００３２】
図１６（ｂ）のように、ある程度冷えて固まってきたら  形を壊さないようにはずし、この型から雄型を作る。
この右側の物体は、成型材樹脂である。これを先ほどの型を採った印象の内側に充填し鼻根稜複製物８２を作る。この場合の成型材は、２物質混合型かつ、数分で固化するものとすると効率が良い。
【００３３】
図１６（ｃ）のように、鼻型取付具８７の球体と反対側の先端を成型材が固化する前に鼻根稜複製物８２の後方から前方に向かって、上下左右ほぼ中心に差し込む。これを鼻根稜頂部型８０といい、図１６（ｄ）は完成品である。
【００３４】
次に左耳介付根上部型１１３、右耳介付根上部型１２３の作り方について、図１７を参照して説明する。
まず、左耳介上部の印象を取る。
図１７（ａ）は顔面測定器にて測定しているところの左側側面図であるが、この時の左サイドバー４０は額に当接しているため少し前面が上がり気味になっているが、この傾斜に合わせ、図１７（ｂ）のように耳介付根上部印象取得具横棒２０２ａの傾斜角度をあわせる。
このときの印象材は、前記鼻根稜頂部型８０で使用したときと同じ熱軟化性樹脂を使用し、耳介付根上部印象取得具２０２の印象材部分は温めて十分軟化しているものとする。
このとき印象材は、耳介付根の上部から後方にかけて中心に十分に回り込ませ耳介上部半分から頭側面にかけた谷間の部分の型を取る。図１７（ｂ）
耳介付根上部印象取得具縦棒２０２ｂのガイドは、垂直かどうかのガイドではあるが、測方から見て垂直である必要はない。但し、前方から見たときは、垂直でなければならない。
また、顔面測定器２にて測定した時に耳介に貼り付けたシール１３は印象材にも貼り付けると良い。
【００３５】
次に、左耳介付根上部型１１３を作るため、図１７の（ｃ）（ｄ）を参照して説明する。
図１７の（ｃ）の左側の図は図１７（ｂ）で耳介付根上部印象取得具２０２を使用して取った左耳介付根上部の印象である。
右側の図は耳介付根上部型固定具２０１であるが、耳介付根上部型固定具横棒２０１ａ右端には、図のように成型材樹脂が取り付けられている。この成型材も上記鼻型のときと同じように２物質混合型で短期固化物質が適当である。
この成型材は、あらかじめ取り付けられているのでなく、型を採る直前に２物質を混合し、耳介付根上部型固定具２０１後部の回転止突起２０１ｃに回りこませて取り付ける。この回転止突起２０１ｃは回転防止用かつ、脱落を防ぐためである。
また、この成型剤が棒に対して回転しないものであれば、この回転止突起２０１ｃはなくても良い。
【００３６】
図１７（ｄ）のように、耳介付根上部型固定具縦棒２０１ｂと耳介付根上部印象取得具縦棒２０２ｂを同一平面状にあるように重ね合わせる。
これは、印象材で採った耳介取付部と耳介付根上部型の角度が重要であるからである。
印象に成型材を十分に回り込ませることにより、耳介と頭側面の谷間の部分、耳介上部から後方にかけて雄型を成型すれば、丁度メガネのモダンが掛かるところを複製することができる。
また、印象材に張ってあったシールは対応する位置に左耳介付根上部型１１３に移す。
【００３７】
固化した後、離型すると、耳介付根上部型固定具横棒２０１ａが付いた左耳介付根上部型１１３ができる。
この後、図１７（ｅ）のように、耳介付根上部型固定具縦棒２０１ｂ、耳介付根上部型固定具横棒２０１ａとも不要部分を切り落とすと、耳介付根上部型固定具縦棒２０１ｂが顔面寸法再現装置３の左耳型取付具１１２に装着する部品となる。
【００３８】
右耳介付根上部型１２３も同様に、右サイドバー５０の傾斜角を参照しながら、耳介付根上部印象取得具２０２を使い印象を取り、かつ耳介付根上部型固定具２０１を使い、右耳介付根上部型１２３を作製する。
【００３９】
上記にて作った左耳介付根上部型１１３及び右耳介付根上部型１２３を、図３の顔面寸法再現装置３の左耳型取付具１１２と右耳型取付具１２２に取り付ける。
鼻根稜頂部型８０を鼻型接合装置８５の先端の溝から鼻型取付具８７の丸い先端部を挿入し、鼻型接合装置８５内の丸いくぼみに填め鼻型固定ネジ８８をしめるが、完全には締めず、後の手順で鼻型取付角度を決定してから完全に固定するようにする。
これら鼻根稜頂部型８０、左耳介付根上部型１１３、右耳介付根上部型１２３の３つのパーツが組み込まれた顔面寸法再現装置３を、フィッティング用ヘッドモデル１という。
フィッティング用ヘッドモデル１の本体の図が図１９。このフィッティング用ヘッドモデル１にメガネをかけさせた図が図１である。
【００４０】
次に、フィッティング用ヘッドモデル１と顔面測定器２を接合器３００（図５参照）、を使って接合する方法を説明する。図８、図９参照。
最初にフィッティング用ヘッドモデル１の左耳型水平移動スライダー９０と右耳型水平移動スライダー１００は一番内側に、鼻型スライダー８１は出来るだけ後方に移動しておく。
また、左耳上下移動具１１１を操作し、左耳介付根上部型１１３を出来るだけ下方に移動しておく。右耳介付根上部型１２３も同様に下げておく。
【００４１】
フィッティング用ヘッドモデル１には、左接合器接合部品８６ａ及び、右接合器接合部品８６ｂがあり（図１９参照）、接合器３００の左接合棒３０５ｂと右接合棒３０５ａとを上から挿入できるようになっている。挿入した時の図が図８である。
【００４２】
更に、接合器３００には顔面測定器２を搭載するための左装着ミゾ３０４ｂ、右装着ミゾ３０４ａがあり、ここにフロントバーブリッジ部１１の中央部を載せる。これを載せた時の図が図９である。
このときは、図１１のように顔面測定器２の左サイドバー４０及び右サイドバー５０に左耳介付根上部型１１３と右耳介付根上部型１２３は離れている。
また、鼻根稜頂部型８０と鼻根頂基準片裏面６５ａも接触していない。
【００４３】
鼻根頂基準片６５と鼻根稜頂部型８０との位置及び取付角度の合わせ方は、図１１に於けるＡＡ断面図である図７を用いて説明する。
まず、上下方向は、顔面測定器２にてユーザーの鼻根稜頂部９を計測した時、鼻根頂基準片裏面６５ｂが当接していた位置と鼻根稜頂部型８０の高さをあわせるように、接合器上下移動具８９を操作し接合器３００を上下させる。この接合器上下移動具８９は、ねじとなっており、ねじの先端が接合器を押し上げる構造となっている。
また、ねじでなくともスムーズに上下移動可能であれば、他の方法を使うことも可能である。
【００４４】
また、接合器上部３０１と、接合器下部３０２は前後移動装置３０３によって、前後に移動することができるようになっており、鼻根頂基準片６５が鼻根稜頂部型８０に接触するまで、接合器上部３００と一体になった顔面測定器２を移動させる。
上記２つの手段で鼻根頂基準片裏面６５ｂと鼻根稜頂部型８０を上下方向と、前後方向にずらしながら顔面測定器２で測定していた位置にあわせる。
鼻根頂計測具６０は、固定されており、鼻根稜頂部型８０を回転させて、図７のように鼻根稜頂部型８０の稜部と鼻根頂基準片裏面６５ｂを平行に接触させたら、鼻型固定ネジ８８で固定する。
【００４５】
つぎに顔面測定器２にて測定した鼻と耳の相対的位置データを、フィッティング用ヘッドモデル１に、転送する方法について図１０，図１２を用いて説明する。
左耳介付根上部型１１３と、右耳介付根上部型１２３は左サイドバー４０と右サイドバー５０から離れた状態になっているので、図１０のように、左耳型水平移動スライダー９０と右耳型水平移動スライダー１００を伸展し、両サイドバーに接触させる。
これを上面から見たところが図１２である。
【００４６】
次に、右耳介付根上部型１２３の耳介と頭側面との谷間の部所を顔面測定器２の右サイドバー５０下部に当たるまで右耳上下移動具１２１を操作し上方へ移動させる。
次に、鼻型スライダー８１を動かし、フィッティング用ヘッドモデル１と１体になった右サイドバー５０を前後させ、顔面測定器２で定めた左耳介付根上部の位置に合わせる。
この定める方法は、右サイドバー目盛り部５０ａ  の目盛りを読みとる方法や、右サイドバー５０にサインペンなどで印字したり、左耳介付根上部型１１３に付けてあった耳位置シール１３を目安にするのも良い。
そして、鼻型スライダーストッパー８２で固定する。
【００４７】
再度、右耳介付根上部型１１３が右サイドバー５０に当たっているか確認し、当たっていないようなら、右耳型水平移動スライダー１００を移動させて接触させ、右耳型水平移動スライダーストッパー１０２で固定する。
【００４８】
今度は、左耳型水平移動スライダー９０を伸展させ、左耳介付根上部型１２３が左サイドバー４０に接触するまで伸ばす。
また、右耳介付根上部型と同様に左耳型上下装置１１０の左耳上下移動具１１１を操作し、左耳介付根上部型１１３を上方へ移動させ、該左耳介付根上部型１１３の耳介と頭側面との谷間の部所を左サイドバー４０下部に接触させる。
次に、左耳型前後移動スライダー１５０を操作し、左耳介付根上部型１１３を顔面測定器にて左耳介上部の位置を左サイドバー４０上にて定めた位置に合わせる。この定める方法は、右耳の場合と同様である。例えば、右側と同様に耳位置シール１３を利用して、正確な位置合わせをするのも良い。右耳介付根上部型１２３の前後方向の位置が決まったら、左耳型前後移動スライダーストッパー１５２で固定する。
【００４９】
再度、左耳介付根上部型１１３が左サイドバーに当接しているか、左耳型水平移動スライダーを操作し確実に当たるまで移動する。そして決定したら、左耳型水平移動スライダーストッパー９２で固定する。
【００５０】
以上で、フィッティング用ヘッドモデル１の各スライダーを固定したこととなるので、顔面測定器２、接合器３００ともに取り外す。
取り外し方は、接合器上下移動具８９を操作し、接合器３００を上方に移動させると、顔面測定器２と共に外れる様になっている。
【００５１】
取り外すと、図１９のようにフィッティング用ヘッドモデル１だけとなり、これにユーザー所望のメガネのフィッティングを行う事が出来る。
このフィッティング用ヘッドモデル１のすべてのストッパーを解除し、耳と鼻の型を取り外すと、又次のユーザーに使用できる。
【実施例２】
【００５２】
次に、別の実施の形態を図を使って説明する。
図２２に、水平維持型顔面測定器１４を示す。人間の耳介上部と鼻根稜頂部９の高さは同じ高さになく、水平維持型顔面測定器１４では、鼻根頂計測具６０を上下させる鼻根頂計測具上下移動具６９を備え、これを操作することにより左サイドバー４０を水平にして測定する。
【００５３】
図２０には、簡易型フィッティング用ヘッドモデル１５を示す。
水平維持型顔面測定器１４の左サイドバー４０は、上下方向に固定であるから、簡易型顔面寸法再現装置１６の簡易型左耳１１４は、左サイドバー４０に直接固定され上下移動しない。
簡易型右耳１１５は、右耳型上下装置１２０を経由して右耳型水平移動スライダー１００に接続する。
また、簡易型左耳１１４及び簡易型右耳１１５は、耳介付根上部型を取るのが、少し煩雑であるため、型取りを省略し位置のみ再現するように簡単な形状としてある。
【００５４】
鼻根稜頂部型８０と、鼻型スライダー８１の間に鼻型上下装置９４を配設する。
これは、鼻根稜頂部型８０を簡易型左耳１１４に対し相対的な高さに移動するためである。
したがって、図２１に示す簡易接合器３０６と簡易型フィッティング用ヘッドモデル１５との接合は簡易接合棒３１０を接合棒挿入器９３に差し込むだけであり、上下移動はしない。
【００５５】
この簡易型フィッティング用ヘッドモデル１５の使用法についてもう少し詳しく述べる。水平維持型顔面測定器１４で被測定者の頭部の各寸法及び角度の測定法は、左サイドバー４０の水平維持に気をつけること以外は実施例１と同様である。
また、鼻根稜頂部型８０を被測定者の鼻根稜頂部から型取りし作製するところも実施例１と同様である。
左右の耳介付根上部印象は、簡便にするため取らない。
【００５６】
これから、水平維持型顔面測定器１４で測定したデータを簡易型フィッティング用ヘッドモデル１５に転写する方法について述べる。
まず、鼻根稜頂部型８０を鼻型接合装置８５に取り付ける。このとき鼻型固定ネジ８８はやや緩めにしておく。
左耳型水平移動スライダー９０及び右耳型水平移動スライダー１００は、縮めておく。
また、水平維持型顔面測定器１４を接合した時、鼻根頂基準片裏面６５ａの後方に鼻根稜頂部型８０が来るように鼻型スライダー８１を後方にする。
そして、右耳型上下装置１２０で簡易型右耳１１５を下げておく。
【００５７】
次に、右フロントバー２０及び左フロントバー３０を簡易接合器３１０の右装着ミゾ３０４ａと左装着ミゾ３０４ｂにはめ込む。
次に、左耳型水平移動スライダー９０を外方に移動し、左サイドバー４０に接触させる。このとき、左サイドバー４０の下部は、簡易型左耳１１４の上部に接触しているはずである。
【００５８】
まず、鼻型上下装置９４で鼻根稜頂部型８０の鼻根稜頂部９と鼻根頂基準片裏面６５ａの高さを同一となるように移動する。
次に、鼻型スライダー８１を前方に移動し、鼻根稜頂部型８０を鼻根頂基準片裏面６５ａに接触させる。
このとき鼻根頂基準片裏面６５ａは被測定者を測定したときの角度になっているはずであるから、鼻根稜頂部型８０の鼻根稜頂部９を鼻根頂基準片裏面６５ａの傾斜角に合わせ、鼻型固定ネジ８８で固定する。
【００５９】
次に、右耳型水平移動スライダー１００を外方に移動し、右サイドバー５０に接触させる。
右耳上下移動具１２１を操作し、右サイドバー５０の下部に簡易型右耳１１５の上部が接触するように移動する。
さらに、鼻型スライダー８１を操作し、簡易型右耳１１５の位置に、右サイドバー目盛り部５０ａで定めた位置に合わせる。
【００６０】
次に、左耳型前後移動スライダー１５０を操作し、左サイドバー目盛り部４０ａで定めた位置に簡易型左耳１１４を移動する。
もう一度確認後、鼻型スライダーストッパー８４及び左耳型水平移動スライダーストッパー９２と右耳型水平移動スライダーストッパー１０２で固定する。
【００６１】
水平維持型顔面測定器１４を簡易接合器３１０と共に、上方に引き上げて取り外す。
この簡易型フィッティング用ヘッドモデル１５にメガネを掛けさせ、フィッティングを行う。
【００６２】
なお、簡易型フィッティング用ヘッドモデル１５には、ユーザーとなる耳周りの形状の情報がないため、測定時に、左耳介後部形状倣い棒４１と右耳介後部形状倣い棒５１を被測定者の耳介後部に沿わせ、形状を把握しておくと、メガネのモダン形状を整形するときに有用である。
【産業上の利用可能性】
【００６３】
本発明によれば、この装置をメガネ販売店に設置することにより、メガネユーザーを待たせることなく、よりかけ心地の良いメガネを提供することが可能となる。
また、メガネの実物がなくても、この装置でユーザーの頭の復元構成物を作製しておけば、メガネが出来てからこのフィッティング用ヘッドモデル１を使ってフィッティングをし、快適な装用感のメガネを提供できる。
【図面の簡単な説明】
【００６４】
【図１】本発明に係るフィッティング用ヘッドモデルの実施形態の斜視図である。
【図２】本発明に係る顔面測定器の斜視図である。
【図３】本発明に係る顔面寸法再現装置の斜視図である。
【図４】（ａ）は耳介付根上部雄型固定具、（ｂ）は耳介付根上部印象取得具の側面図である。
【図５】本発明に係る接合器の斜視図である。
【図６】顔面測定器の右側面図である。
【図７】図１１におけるＡＡ断面図である。
【図８】フィッティング用ヘッドモデルに接合器を装着したところの斜視図である。
【図９】本発明に係るフィッティングデータ転送装置の斜視図である。
【図１０】フィッティングデータ転送装置のスライダーを伸展したところの斜視図である。
【図１１】フィッティングデータ転送装置の上面図である。
【図１２】フィッティングデータ転送装置のスライダーを伸展したところの上面図である。
【図１３】顔面測定器にて測定しているところの左側面図である。
【図１４】鼻の概略図。
【図１５】顔面測定器にて測定しているところの斜視図である。
【図１６】鼻根稜頂部型の作り方のフロー説明図である。
【図１７】左耳介付根上部型の取り方のフロー説明図である。
【図１８】測定寸法の説明図である。器械の厚みは省略化してある。
【図１９】フィッティング用ヘッドモデルの斜視図である。
【図２０】簡易型フィッティング用ヘッドモデルの斜視図である。
【図２１】簡易接合器の斜視図である。
【図２２】水平維持型顔面測定器の斜視図である。
【符号の説明】
【００６５】
１      フィッティング用ヘッドモデル
２      顔面測定器
３      顔面寸法再現装置
４      フィッティングデータ転送装置
５      鼻根
６      鼻背
７      鼻尖
８      鼻翼
９      鼻根稜頂部
１０    フロントバー
１０ａ    左右顔幅目盛り部
１０ｂ  フロントバー裏面
１１    フロントバーブリッジ部
１２    鼻根稜頂部型採エリア
１３    耳位置シール
１４    水平維持型顔面測定器
１５    簡易型フィッティング用ヘッドモデル
１６    簡易型顔面寸法再現装置
２０    右フロントバー
２１    右フロントバーストッパー
３０    左フロントバー
３１    左フロントバーストッパー
４０    左サイドバー
４０ａ      左サイドバー目盛り部
４１    左耳介後部形状倣い棒
５０    右サイドバー
５０ａ    右サイドバー目盛り部
５１    右耳介後部形状倣い棒
６０    鼻根頂計測具
６０ａ    鼻根頂目盛り部
６１    鼻根頂角度計
６３    鼻根頂基準片固定具
６５    鼻根頂基準片
６５ａ  鼻根頂基準片裏面
６６    鼻根頂基準片支持パッド
６７    鼻根頂角度計目盛り部
６８    鼻根頂角度計指針
６９    鼻根頂計測具上下移動具
７０    サイドバー上下移動具
７０ａ      上下移動目盛り部
７１    上下移動ハンドル
８０    鼻根稜頂部型
８１    鼻型スライダー
８２    鼻根稜複製物
８４    鼻型スライダーストッパー
８５    鼻型接合装置
８６ａ      左接合器接合部品
８６ｂ      右接合器接合部品
８７    鼻型取付具
８８    鼻型固定ネジ
８９    接合器上下移動具
９０    左耳型水平移動スライダー
９２    左耳型水平移動スライダーストッパー
９３    接合棒挿入器
９４    鼻型上下装置
１００  右耳型水平移動スライダー
１０２  右耳型水平移動スライダーストッパー
１１０  左耳型上下装置
１１１  左耳上下移動具
１１２  左耳型取付具
１１３  左耳介付根上部型
１１４  簡易型左耳
１１５  簡易型右耳
１２０  右耳型上下装置  
１２１  右耳上下移動具
１２２  右耳型取付具
１２３  右耳介付根上部型
１５０  左耳型前後移動スライダー
１５２  左耳型前後移動スライダーストッパー
２０１  耳介付根上部型固定具
２０１ａ耳介付根上部型固定具横棒
２０１ｂ耳介付根上部型固定具縦棒
２０１ｃ回転止突起
２０２  耳介付根上部印象取得具
２０２ａ耳介付根上部印象取得具横棒
２０２ｂ耳介付根上部印象取得具縦棒  
３００  接合器
３０１  接合器上部
３０２  接合器下部
３０３  前後移動装置
３０４ａ  右装着ミゾ
３０４ｂ  左装着ミゾ
３０５ａ  右接合棒
３０５ｂ  左接合棒
３０６  簡易接合棒
３１０  簡易接合器
Ａ      右側面に当接するサイドバーと額前面に当接するフロントバーの交点
Ｂ      左側面に当接するサイドバーと額前面に当接するフロントバーの交点
Ｃ      左サイドバー上に於ける右耳介部上端位置
Ｄ      左サイドバー上に於ける左耳介部上端位置
Ｌ      鼻根稜頂部中心からＡまでの距離  左顔幅
Ｍ      鼻根稜頂部中心からＢまでの距離  右顔幅
Ｎ      ＡＣ間の距離  フロントバー裏面から左耳介上部までの距離
Ｏ      ＢＤ間の距離  フロントバー裏面から右耳介上部までの距離
【図１】
0004753388.tif 000002
【図２】
0004753388.tif 000003
【図３】
0004753388.tif 000004
【図４】
0004753388.tif 000005
【図５】
0004753388.tif 000006
【図６】
0004753388.tif 000007
【図７】
0004753388.tif 000008
【図８】
0004753388.tif 000009
【図９】
0004753388.tif 000010
【図１０】
0004753388.tif 000011
【図１１】
0004753388.tif 000012
【図１２】
0004753388.tif 000013
【図１３】
0004753388.tif 000014
【図１４】
0004753388.tif 000015
【図１５】
0004753388.tif 000016
【図１６】
0004753388.tif 000017
【図１７】
0004753388.tif 000018
【図１８】
0004753388.tif 000019
【図１９】
0004753388.tif 000020
【図２０】
0004753388.tif 000021
【図２１】
0004753388.tif 000022
【図２２】
0004753388.tif 000023